(57)【要約】【課題】装置の薄型化を図ると共に、耐衝撃性を向上し、高信頼性の情報記録を可能とする。【解決手段】磁気ヘッドを支持するベース基板１１０、ベース基板に基端部が固定され、先端部には磁気ヘッドスライダー１１４ｅが固定されたサスペンション部１１４、ベース基板に摺動可能に支持され、ベース基板を包囲するように設けられたアダプター１３０を具備する。また、ロード時にはアダプターをロード位置に移動させてサスペンション部による付勢力で磁気ヘッドスライダーを光磁気ディスク上に降下し、アンロード時にはアダプターをアンロード位置に移動させてアダプター内にサスペンション部の一部を引き込み、サスペンション部を略水平状態で磁気ヘッドのアンロード姿勢を保持する。【選択図】　　　　　図１
2004134013.tif 000002
【特許請求の範囲】
【請求項１】
光磁気記録媒体に記録磁界を印加する磁気ヘッドと、前記磁気ヘッドの磁界印加部位に光ビームを照射する光ピックアップとを有する光磁気記録装置において、前記磁気ヘッドを支持する略長方形状のベース基板と、前記ベース基板に基端部が固定され、先端部には磁界を発生する磁極部を有する磁気ヘッドスライダーが固定されたサスペンション部と、前記ベース基板に摺動可能に支持され、前記ベース基板を包囲するように設けられたアダプターとを含み、前記サスペンション部は少なくとも２箇所に屈曲部を有し、前記磁気ヘッドのロード時には前記アダプターをロード位置に移動させることによって、前記サスペンション部による付勢力で前記磁気ヘッドスライダーを記録媒体面上に降下し、前記磁気ヘッドのアンロード時には前記アダプターをアンロード位置に移動させることによって、前記アダプター内に前記サスペンション部の一部を引き込み、前記磁気ヘッドスライダーを記録媒体面から退避させて、前記サスペンション部を略水平状態として前記磁気ヘッドのアンロード姿勢を保持することを特徴とする光磁気記録装置。
【請求項２】
前記アダプターは、非磁性材料から成ることを特徴とする請求項１に記載の光磁気記録装置。
【請求項３】
前記アダプターは、中空の略矩形形状であることを特徴とする請求項１に記載の光磁気記録装置。
【請求項４】
前記磁気ヘッドスライダーに突起部が形成され、前記アンロード時には、前記突起部が前記ベース基板に形成された係合孔に係合することを特徴とする請求項１に記載の光磁気記録装置。
【請求項５】
前記磁気ヘッドスライダーにロック部が形成され、前記アンロード時には、前記アダプターの内壁面で前記ロック部を支持することを特徴とする請求項１に記載の光磁気記録装置。
【発明の詳細な説明】
【０００１】
【発明の属する技術分野】
本発明は、光磁気ディスク等の記録媒体に情報を記録する光磁気記録装置、特に、記録媒体に記録磁界を印加する磁気ヘッドをロード／アンロードする昇降機構の改良に関するものである。
【０００２】
【従来の技術】
従来、光透過性を有する透明なディスク基板に垂直磁化膜から成る光磁気記録層を形成した光磁気ディスク等の光磁気記録媒体に情報信号の記録及び再生を行う光磁気記録再生装置が知られている。
【０００３】
このような光磁気記録装置は、例えば、光磁気ディスクを回転駆動するスピンドルモータ等の回転駆動手段、回転する光磁気ディスクの一方の面側にて光磁気記録層に対して光源から対物レンズを含む光学系を介して光ビームを照射し、光ディスクの光磁気記録層からの戻り光を光学系を介して光検出器により検出する光学ピックアップ、光磁気ディスクの他方の面側にて光磁気記録層に対して記録すべき情報信号に応じて外部磁界を印加する磁界変調磁気ヘッド、対物レンズをフォーカス方向及びトラッキング方向に移動可能に支持する光ピックアップアクチュエータ等を含んで構成されている。
【０００４】
このような装置では、光磁気ディスクに対して信号の記録を行う磁気ヘッドとして、光磁気ディスクのレーザ光照射面の反対側の面に接触又は接近させることが必要である。また、この磁気ヘッドは記録時以外の時には光磁気ディスクから離間していて、記録時にのみ光磁気ディスクに接触か接近させる必要がある。従って、光磁気ディスクから磁気ヘッド部を昇降させて記録時と非記録時との間で移動させることが必要となる。
【０００５】
次に、従来の光磁気ディスクに対する磁気ヘッドの昇降機構について説明する。図６は従来例の光磁気記録装置を示す図である（特許文献１参照）。磁気ヘッド装置１０は図示しない光ピックアップとコの字形状の連結部材２０を介して固定され、光ピックアップと共に光磁気ディスク３０の半径方向Ｘに移動する。
【０００６】
磁気ヘッド装置１０は、磁気ヘッド２０ａ、先端側に磁気ヘッド２０ａを支持した弾性支持アーム２０ｂ、この弾性支持アーム２０ｂを支持する支持基板１０ａを備えている。弾性支持アーム２０ｂはリン青銅等の薄い金属板を打ち抜いて形成されている。支持基板１０ａの先端部１０ｂはＬ字形に形成されており、この先端部１０ｂで弾性支持アーム２０ｂの下面を支持すると共に、支持基板１０ａと弾性支持アーム２０ｂの基端部は共に連結部材２０に支持固定されている。
【０００７】
磁気ヘッド装置１０は昇降板２５によって昇降し、この昇降板２５は略矩形の板状を為しており、後端部がホルダーの孔の後端部近くで上下方向へ回動自在に支持されている。昇降板２５には、その一方の側縁から突出した被駆動部２５ａと、他方の側縁から突出した突部２５ｂが設けられている。
【０００８】
また、板バネ２６の一端が図示しないホルダーの天板に固定され、板バネ２６の他端が昇降板２５の突部２５ｂに上側から弾接されて、昇降板２５が下方に付勢されている。昇降板２５の被駆動部２５ａはホルダーの天板に回動可能に支持された昇降レバー２７のカム部２８の上側に位置している。カム部２８は後端側に下降部が形成され、前端側に上昇部が形成され、下降部と上昇部との間が斜辺部によって連結されている。
【０００９】
図６は昇降板２５の被駆動部２５ａがカム部２８の下降部に載った状態を示し、この状態では昇降板２５が下方に回動した状態となっており、その結果、磁気ヘッド装置１０が下方に回動し、磁気ヘッド２０ａが光磁気ディスク３０に接触し又は近接した状態となっている。
【００１０】
上記ホルダーが支持されたシャーシ本体（図示せず）には、昇降制御板２９が図６のＹ方向（タンジェンシャル方向）及びＺ方向に移動可能に支持されている。昇降制御板２９にはラック２９ａが形成されており、ラック２９ａがモータＡによって回転するギャーＢに送られて、前後のＹ及びＺ方向に移動する。
【００１１】
昇降制御板２９の後端部には連結孔２９ｂが形成されており、この連結孔２９ｂに昇降レバー２７の他端部に設けられた連結片２７ａが挿通されている。従って、昇降制御板２９が前方（Ｙ方向）に移動すると、昇降レバー２７が反時計方向に回動し、また、昇降レバー２７が後方（Ｚ方向）に移動すると、昇降レバー２７が時計方向に回動する。この昇降レバー２７の回動により、カム部２８を介して昇降板２５が被駆動部２５ａと係合して磁気ヘッド装置１０の光磁気ディスクへの昇降動作を行う。
【００１２】
図６に示す状態は記録時の状態であり、昇降制御板２９が矢印Ｚ方向に移動した状態となっており、昇降レバー２７が時計方向に回動し、磁気ヘッド２０ａがホルダーに対して最も下がった状態とされている。この状態においては、磁気ヘッド２０ａは光磁気ディスク３０に接触した状態となっている。
【００１３】
記録を終了すると、昇降制御板２９がＹ方向に移動し、昇降レバー２７が反時計方向に回動し、カム部２８が後方へ移動し、昇降板２５の被駆動部２５ａがカム部２８の上昇部に位置した状態となる。そのため、昇降板２５が上方へ回動し、昇降板２５によって弾性支持アーム２０ｂ及び支持基板１０ａが上方へ回動するように持ち上げられ、その結果、磁気ヘッド２０ａが光磁気ディスク３０から離間する。
【００１４】
【特許文献１】
特開２００１−１７６２２２公報（段落０００２〜００１６、図２１）
【００１５】
【発明が解決しようとする課題】
上記従来の光磁気記録装置では、磁気ヘッドの昇降動作において昇降板２５の上昇に伴って弾性支持アーム２０ｂを支持する支持基板１０ａが回動することでアンロード姿勢に移行している。このアンロード状態では、支持基板１０ａの先端部１０ｂが弾性支持アーム２０ｂを下面から押圧し、弾性支持アーム２０ｂを撓ませて傾斜状態でアンロード姿勢が保持されている。
【００１６】
しかしながら、このような傾斜姿勢では厚み方向にスペースが必要となるため、装置の薄型化の障害となっていた。また、アンロード時（非記録時）において、装置に衝撃が生じた場合には、下から支持基板１０ａが弾性支持アーム２０ｂを支えているだけの構造であるため、特に、側面からの衝撃に対して弱い。そのため、弾性支持アーム２０ｂの変形を招き、磁気ヘッド２０ａの磁極部と光スポットの位置がずれて記録エラーを招く恐れがあった。
【００１７】
本発明は、上記従来の問題点に鑑みなされたもので、その目的は、磁気ヘッドのアンロード時の磁気ヘッドの姿勢において傾斜の無い水平状態で保持することにより、薄型化が図れ、耐衝撃性に強い光磁気記録装置を提供することにある。
【００１８】
【課題を解決するための手段】
本発明は上記目的を達成するため、光磁気記録媒体に記録磁界を印加する磁気ヘッドと、前記磁気ヘッドの磁界印加部位に光ビームを照射する光ピックアップとを有する光磁気記録装置において、前記磁気ヘッドを支持する略長方形状のベース基板と、前記ベース基板に基端部が固定され、先端部には磁界を発生する磁極部を有する磁気ヘッドスライダーが固定されたサスペンション部と、前記ベース基板に摺動可能に支持され、前記ベース基板を包囲するように設けられたアダプターとを含み、前記サスペンション部は少なくとも２箇所に屈曲部を有し、前記磁気ヘッドのロード時には前記アダプターをロード位置に移動させることによって、前記サスペンション部による付勢力で前記磁気ヘッドスライダーを記録媒体面上に降下し、前記磁気ヘッドのアンロード時には前記アダプターをアンロード位置に移動させることによって、前記アダプター内に前記サスペンション部の一部を引き込み、前記磁気ヘッドスライダーを記録媒体面から退避させて、前記サスペンション部を略水平状態として前記磁気ヘッドのアンロード姿勢を保持することを特徴とする。
【００１９】
本発明においては、サスペンション部をベース基板に対しアダプターで狭持した状態で磁気ヘッドを昇降する構造であるため、側面からの衝撃に対してサスペンション部がずれを生じたり変形を生じたりすることがなく、側面からの耐衝撃性を向上できる。そのため、記録エラーを生じることがなく、高信頼性の情報記録を行うことができる。また、サスペンション部を傾斜させることなく、磁気ヘッドのアンロード姿勢を保持できるため、装置の薄型化が可能である。
【００２０】
【発明の実施の形態】
次に、本発明の実施の形態について図面を参照して詳細に説明する。図１は本発明による光磁気記録装置の一実施形態の構成を示す平面図、図２はその側面図である。また、図３はその主要部を示す平面図、図４は図３のＸ−Ｘ線における断面図である。更に、図５（ａ）は図１の光磁気記録装置における磁気ヘッドのロード状態、図５（ｂ）は磁気ヘッドのアンロード状態を示す側断面図である。
【００２１】
図中１００は光磁気ディスクカートリッジ（以下、カートリッジと略す）、１００ａはカートリッジ１００内に収納された光磁気ディスクである。また、１０１は装置の基台となるシャーシ本体、１０２はカートリッジ１００を保持するカートリッジホルダーである。
【００２２】
シャーシ本体１０１の一側の両端部には、図１、図２に示すようにカートリッジホルダー１０２を開閉するための係合孔１０１ａが設けられている。この場合、図４に示すようにシャーシ本体１０１の両端部にはシャーシ本体１０１の水平面に対し直角に折り曲げられた耳部が形成され、この耳部に係合孔１０１ａが形成されている。
【００２３】
一方、カートリッジホルダー１０２の一側の両端部には、同様に直角に折り曲げられた耳部１０２ｂが形成され、この耳部１０２ｂに凸部１０２ａが形成されている。このカートリッジホルダー１０２の両端部の耳部１０２ｂに形成された凸部１０２ａがシャーシ本体１０１の両端部に形成された係合孔１０１ａに回動可能に嵌合している。この構造により、カートリッジホルダー１０２はシャーシ本体１０１の係合孔１０１ａとそれに嵌合する凸部１０２ａを回転中心として回動し、カートリッジ１００を装着又は取り出しできるように構成されている。
【００２４】
更に、シャーシ本体１０１のほぼ中央部には、カートリッジ１００を位置決め搭載し、光磁気ディスク１００ａを回転させるためのターンテーブルを有するスピンドルモータ（以下、ターンテーブル）２０が配置されている。また、シャーシ本体１０１には、図２に示すようにその水平面に対し直角に折り曲げて支持固定部１０１ｃ、１０１ｃが形成され、この支持固定部１０１ｃ、１０１ｃに光ピックアップ１０８を移動可能に支持するガイド軸１０４、１０４が保持されている。
【００２５】
光ピックアップ１０８は、シャーシ本体１０１に回転可能に支持された送りネジを図示しないシークモータにより回転させることで、ガイド軸１０４、１０４に沿って光磁気ディスク１００ａの半径方向（図１のＸ方向）に移動し、光磁気ディスク１０１ａの所望の位置にアクセスできるように構成されている。
【００２６】
また、図２に示すように光ピックアップ１０８の底面はコの字状のヘッド支持アーム１１７の下端側に固定され、ヘッド支持アーム１１７の上端側には磁気ヘッドを支持するベース基板１１０が固定されている。即ち、光ピックアップ１０８と磁気ヘッドが光磁気ディスク１００ａを挟んで互いに対向するようにヘッド支持アーム１１７で連結されており、光ピックアップ１０８と磁気ヘッドは同時に光磁気ディスク１００ａの半径方向（Ｘ方向）に移動する。
【００２７】
一方、図１に示すようにカートリッジホルダー１０２の上面部には、ガイドピン１０７が少なくとも３個以上設けられ、このガイドピン１０７に係合する長孔１４０ｂを有するスライド板１４０がガイドピン１０７に沿って移動可能に支持されている。尚、ガイドピン１０７はネジ部を設けた鍋ビス等で抜け止めしている。スライド板１４０は後述するように昇降モータ１０の駆動によりガイドピン１０７のガイドによって長孔１４０ｂの長手方向に移動することで磁気ヘッドを昇降させるものである。
【００２８】
また、スライド板１４０には、長孔１４０ｂと直交する方向に長孔１４０ａが形成されている。長孔１４０ａには、図４、図５に示すようにガイドピン１３０ａが係合しており、このガイドピン１３０ａは磁気ヘッドを支持するベース基板１１０を包囲するように設けられたアダプター１３０に固定されている。アダプター１３０の材料としては、非磁性材料を用いている。
【００２９】
アダプター１３０は図４に示すようにベース基板１１０と磁気ヘッド１１４の幅広サスペンション部１１４ｃを包囲するように中空の略矩形形状（扁平形状）となっており、スライド板１４０の移動に伴いベース基板１１０の長辺方向をガイドとして摺動可能となっている。また、スライド板１４０に形成された長孔１４０ａにガイドピン１３０ａが係合しているので、磁気ヘッドが光磁気ディスク１００ａの半径方向に移動する際には長孔１４０ａに沿って移動する。
【００３０】
図５（ａ）は磁気ヘッドのロード時の側断面図、図５（ｂ）はアンロード時の側断面図である。まず、図５（ａ）は磁気ヘッドスライダー１１４ｅが光磁気ディスク面に当接している状態を示す。この状態では、磁気ヘッドスライダー１１４ｅがディスク面に所定の接触圧力で接するようにサスペンション１１４を介して付勢されている。磁気ヘッドスライダー１１４ｅには、所望のサイズの磁極コア及びコイル（コアの周囲に巻回されている）が内蔵されている。
【００３１】
磁気ヘッドのロード時（記録及び再生時）には、磁気ヘッドスライダー１１４ｅがディスク面に摺接しながら光磁気ディスク１００ａが回転し、磁気ヘッドスライダー１１４ｅ内の磁極部から光磁気ディスク１００ａに記録磁界を印加する。磁気コア及びコイルの磁気ヘッド素子を含む磁気ヘッドスライダー１１４ｅは、複数のサスペンション部から成るサスペンション１１４によって支持されている。
【００３２】
このサスペンション１１４は、図３、図５に示すように磁気ヘッドスライダー１１４ｅの両側にあって先端部が樹脂等の接合部１１４ｄで接合され、且つ、略水平に維持された幅の狭い板状形状から成る一対の幅狭サスペンション部１１４ａ、この幅狭サスペンション部１１４ａの接合部１１４ｄから所定角度ディスク面側に折り曲げられ、その基端部が磁気ヘッドスライダー１１４ｅの両側の耳部に固定された折返サスペンション部１１４ｂを備えている。
【００３３】
また、一対の幅狭サスペンション部１１４ａは各々接合部１１４ｄの反対方向に直線状に延びており、図５（ａ）に示すように第１屈曲点１１４ｇで所定角度折り曲げられている。この第１屈曲点１１４ｇ付近から幅が徐々に広くなって幅広サスペンション部１１４ｉが形成され、幅広サスペンション部１１４ｉの中途で所定角度折り曲げられて第２屈曲点１１４ｈが形成されている。
【００３４】
この第２屈曲点１１４ｈを支点に幅広サスペンション部１１４ｉ及び幅狭サスペンション部１１４ａが所望の範囲回動し、磁気ヘッドを昇降することで光磁気ディスク面にロード／アンロード動作を行う。ここで、幅広サスペンション部１１４ｉのディスク面側には、図２、図５（ａ）に示すようにその幅広部に沿ってサスペンション部を剛体とするための樹脂等の当接部１１４ｃが一体成形されている。幅広サスペンション部１１４ｉの第２屈曲点１１４ｈより後端側は、ベース基板１１０に樹脂等で一体に固定されている。
【００３５】
なお、突起部１１４ｊは磁気ヘッドスライダー１１４ｅに固着されており、磁気ヘッドがアンロード状態に移行する際に不図示のベース基板１１０の係合孔に係合することによって、ディスク半径方向の衝撃に対して磁気ヘッドスライダー１１４ｅやサスペンション部を保護する機能を持っている。
【００３６】
磁気ヘッドのロード／アンロード（録再／非録再）時には、スライド板１４０の移動に連動してアダプター１３０が移動し、それに伴い図５（ａ）、（ｂ）に示すように当接部１４０ｃを含む幅広サスペンション部１１４ｉをアダプター１３０内に引き込み、或いはアダプター１３０から排出することでロード／アンロード動作を行う。この磁気ヘッドのロード／アンロード動作については詳しく後述する。
【００３７】
ベース基板１１０は図１及び図２に示すように調整板１１９に弾性部材１１３を介して固定されている。カートリッジホルダー１０２を開閉すると、磁気ヘッド部がカートリッジホルダー１０２と共に回動可能な構造となっている。
【００３８】
調整板１１９は磁気ヘッド部と光ピックアップ１０８の位置調整に用いられ、図２に示すように光ピックアップ１０８と磁気ヘッド部を連結するコの字状のヘッド支持アーム１１７に弾性部材１１３を介して固定されている。調整板１１９を用いて位置調整を行う場合は、調整板１１９をコの字状の弾性部材１２０を用いて仮固定し、ビス２１で仮止めする。
【００３９】
この状態で、位置決め治具（図示せず）を用いて光ピックアップ１０８の光スポット光軸に対し磁気ヘッド部の発生磁界中心が一致するように調整板１１９の位置調整を行う。この際、調整板１１９には治具穴が形成されており、治具穴を用いて調整板１１９の位置を調整することで光スポット軸と発生磁界との位置合わせを行う。位置調整が完了すると、ビス２１を用いて調整板１１９をヘッド支持アーム１１７に最終固定する。
【００４０】
一方、アダプター１３０を図３に示すようにタンジェンシャル方向に移動させるため、スライド板１４０には図３の紙面に対し垂直に折り曲げて形成されたＬ字状の腕部１４０ｄがカートリッジホルダー１０２の側面に沿って形成され、この腕部１４０ｄの中途に切欠き部１４０ｃが形成されている。この切欠き部１４０ｃにはＬ型形状のレバー１０６の先端部１０６ａが係合している。レバー１０６にはシャーシ本体１０１に固定されているガイドピン１０７に係合する長穴が形成され、レバー１０６は所望のストローク長移動が可能である。
【００４１】
更に、レバー１０６の後端部にはラックギヤー部が形成され、このラックギャー部に対しシャーシ本体１０１に支持された昇降モータ１０の駆動により回転するギヤー１０９が噛合している。従って、昇降モータ１０の駆動によりギヤー１０９が回転すると、それに噛合するラックギヤー部によりレバー１０６の直線運動に変換され、スライド板１４０は長穴１４０ｂに沿ってタンジェンシャル方向に移動する。
【００４２】
また、スライド板１４０の移動に伴い、ベース基板１１０に対しタンジェンシャル方向にのみ摺動可能に支持されたアダプター１３０が、ガイドピン１３０ａを介しスライド板１４０の移動方向と直交する長孔１４０ａに規制され、スライド板１４０と連動して移動する。
【００４３】
次に、本実施形態の動作について説明する。まず、アンロード時において昇降モータ１０の駆動によりスライド板１４０が図３において右方向に移動すると、それに連動してアダプター１３０が同方向に移動する。この移動に伴い、当接部１１４ｃを含む幅広サスペンション部１１４ｉが第２屈曲点１１４ｈを支点に回動しながら、幅広サスペンション部１１４ｉがアダプター１３０内に引き込まれる。
【００４４】
この動作に伴い、磁気ヘッドスライダー１１４ｅが上昇してディスク面から退避すると共に、サスペンション１１４の先端部における接合部１１４ｄが持ち上げられ、ベース基板１１０にその接合部１１４ｄに形成された樹脂部が係止する。
【００４５】
更に、接合部１１４ｄがベース基板１１０に係止した状態でアダプター１３０が所望のストローク長移動すると、サスペンション１１４の第１屈曲点１１４ｇ及び第２屈曲点１１４ｈがベース基板１１０に沿ってほぼ平行に矯正され、図５（ｂ）に示すように磁気ヘッドの磁極（コア／コイル）を保持する磁気ヘッドスライダー１１４ｅに成形されたロック部１１４ｆがスライダー１３０の内壁に係合し、磁気ヘッドスライダー１１４ｅを保持する。このアンロード状態では前述のように突起部１１４ｊがベース基板１１０の係合孔に係合し、安定したアンロード姿勢が保持される。以上でアンロード動作を完了する。
【００４６】
このアンロード状態では、カートリッジホルダー１０２が図１、図２に示すように回動点である係合穴１０１ａを中心に回動し、光磁気ディスクカートリッジ１００を挿入及び排出することが可能である。即ち、カートリッジホルダー１０２を開けると、ベース基板１１０は弾性部材１１３を介してカートリッジホルダー１０２とスライド板１４０と共に係合穴１０１ａを中心に回動する。
【００４７】
この姿勢で、光磁気ディスクカートリッジ１００を所定位置まで挿入すると、不図示のレバーを介してカートリッジホルダー１０２のシャッター（図示せず）が開口する。続いて、カートリッジホルダー１０２を閉じると、光磁気ディスクカートリッジ１００は位置決めピン（図示せず）で位置決めされ、光磁気ディスク１００ａはターンテーブル２０に位置決め搭載される。
【００４８】
一方、ロード時においてはアンロード時と逆の動作を行い、昇降モータ１０の駆動によりアンロード時とは逆方向にスライド板１４０が移動し、それに連動してアダプター１３０が同方向に移動する。アダプター１３０が移動すると、まず、ロック部１１４ｆがアダプター１３０から離れて解放され、ベース基板１１０に支持固定された幅狭サスペンション部１１４ａ、折返サスペンション１１４ｂが解放される。
【００４９】
更に、アダプター１３０が移動すると、第２屈曲点１１４ｈを支点に当接部１１４ｃを含む幅広サスペンション部１１４ｉが回動しながら、アダプター１３０内から排出され、磁気ヘッドスライダー１１４ｅが下降していく。このようにして磁気ヘッドスライダー１１４ｅは光磁気ディスク１００ａに着地し、幅狭サスペンション部１１４ａ、折返サスペンション１１４ｂ、幅広指サスペンション部１１４ｉの付勢力でディスク面に接触する。以上で磁気ヘッドのロード動作を完了する。
【００５０】
この状態で、図示しない制御部から記録命令が発行されると、図示しないシークモータが駆動され、光ピックアップ１０８と磁気ヘッド部は光磁気ディスク１００ａの半径方向に移動する。この時、磁気ヘッド部はスライド板１４０の長孔１４０ａに沿ってガイドピン１３０ａを介して移動する。
【００５１】
光ピックアップ１０８と磁気ヘッド部が目的の位置に移動し、シーク動作を完了すると、磁気ヘッドスライダー１１４ｅがディスク面に摺動しながら磁気ヘッド部から記録情報に応じて変調された記録磁界を印加し、同時に光ピックアップ１０８から記録用光ビームを照射することによって光磁気ディスク１００ａに情報の記録を行う。尚、磁気ヘッドのロード時点で光磁気ディスク１００ａは回転しているものとする。
【００５２】
また、情報再生時においては光ピックアップ１０８から光磁気ディスク１００ａに再生用光ビームを照射し、その反射光を光ピックアップ１０８内の光センサ（図示せず）で検出し、光センサの検出信号を用いて所定の信号処理を行うことにより記録情報の再生を行う。
【００５３】
【発明の効果】
以上説明したように本発明によれば、サスペンションを傾斜させることなく、略水平にサスペンションを保持することでアンロード姿勢を保持する構造であるため、無駄な空間を必要とせず、装置の薄型化を実現することができる。
【００５４】
また、ベース基板とサスペンションを囲むように形成されたアダプターを用いて、ベース基板とサスペンションを挟持しながらロード／アンロード動作を行う構造であるため、側面からの衝撃に対して強く、耐衝撃性を十分向上できる。例えば、従来の側面方向の拘束手段のない従来装置では５０μｍ程度の位置ずれ変形を生じるのに対し、本発明ではサスペンションに側面方向から衝撃が加わった場合でも、初期位置に対する変形は２０μｍ以下である。従って、記録エラーの発生を著しく低減でき、信頼性の高い情報記録を行うことができる。
【図面の簡単な説明】
【図１】本発明の光磁気記録装置の一実施形態を示す平面図である。
【図２】図１の側面図である。
【図３】図１の実施形態の主要部を示す平面図である。
【図４】図３のＸ−Ｘ線における断面図である。
【図５】図１の実施形態のロード／アンロード状態を示す側断面図である。
【図６】従来例の光磁気記録装置を示す図である。
【符号の説明】
１０　昇降モータ
２０　ターンテーブル
１００　光磁気ディスクカートリッジ
１０１　シャーシ本体
１０２　カートリッジホルダー
１０６　レバー
１１０　ベース基板
１１４　サスペンション
１１４ａ　幅狭サスペンション部
１１４ｂ　折返しサスペンション部
１１４ｃ　当接部
１１４ｄ　接合部
１１４ｅ　磁気ヘッドスライダー
１１４ｆ　ロック部
１１４ｇ　第１屈曲点
１１４ｈ　第２屈曲点
１１４ｉ　幅広サスペンション部
１１４ｊ　突起部
１１７　ヘッド支持アーム
１１９　調整板
１２０　弾性部材
１３０　アダプター
１３０ａ　ガイドピン
１４０　スライド板
１４０ａ、１４０ｂ　長孔
【図１】
2004134013.tif 000003
【図２】
2004134013.tif 000004
【図３】
2004134013.tif 000005
【図４】
2004134013.tif 000006
【図５】
2004134013.tif 000007
【図６】
2004134013.tif 000008